(57)【要約】【課題】小型且つ安価な装置により薬液を効率的に霧化して揮散させることができるポンプ式害虫防除装置を提供する。【解決手段】ポンプ式害虫防除装置１０は、ノズル２３内に先端が開口し、薬液Ｍを吸引する針状部材２５を有し、針状部材２５の開口２５ａは、ノズル２３の開口孔２４の上端開口２４ａと下端開口２４ｂとの間に位置する。【選択図】図１
2008017728.tif 000002
【特許請求の範囲】
【請求項１】
液体容器に接続される圧送ポンプの作用により、前記液体容器の上部に設けられるノズルから前記液体容器内に収容される薬液を噴霧するポンプ式害虫防除装置であって、
前記ノズル内に先端が開口し、前記薬液を吸引する針状部材を有し、
前記針状部材の前記開口は、前記ノズルの開口孔の上端開口と下端開口との間に位置することを特徴とするポンプ式害虫防除装置。
【請求項２】
前記圧送ポンプの圧力は、４Ｌ／分×１〜４Ｌ／分×２＋１．８Ｌ／分×１であることを特徴とする請求項１記載のポンプ式害虫防除装置。
【請求項３】
前記針状部材の前記開口は、前記ノズルの前記開口孔の前記上端開口と面一であることを特徴とする請求項２記載のポンプ式害虫防除装置。
【請求項４】
前記ノズルの前記開口孔の内径と前記針状部材の外径との差が０．２ｍｍより小さく、
前記針状部材の前記開口は、前記ノズルの前記開口孔の前記下端開口と面一であることを特徴とする請求項２記載のポンプ式害虫防除装置。
【請求項５】
前記ノズルは、前記開口孔より下方の内周面にテーパー面を有し、
前記テーパー面の角度が約４５度であることを特徴とする請求項１〜４のいずれかに記載のポンプ式害虫防除装置。
【発明の詳細な説明】
【技術分野】
【０００１】
本発明は、ポンプ式害虫防除装置に関し、より詳細には、空気流によって負圧を発生させて液体容器内の薬液を吸引し、噴霧させるポンプ式害虫防除装置に関する。
【背景技術】
【０００２】
従来、薬液に含まれる芳香成分や害虫防除などに有効な成分を揮散させる手段としては、熱により有効成分を揮散させる熱揮散装置、エアゾール剤などの噴射ガスを用いて薬液を噴霧・揮散させるスプレー装置、蒸発皿に供給した薬液を自然蒸発させて揮散させる蒸発揮散装置（例えば、特許文献１参照。）、超音波発振器によって薬液に超音波振動を与えて噴霧する超音波発振器による殺虫殺菌方法（例えば、特許文献２参照。）、超音波ポンプにより薬液を吸い上げて霧化揮散させる超音波ポンプによりする殺虫殺菌方法（例えば、特許文献３参照。）など、が知られている。
【０００３】
【特許文献１】特開２００４−２３６９４８号公報
【特許文献２】特公昭５７−６１３８８号公報
【特許文献３】特開平５−４０号公報
【発明の開示】
【発明が解決しようとする課題】
【０００４】
しかしながら、上記した熱揮散装置、スプレー装置、蒸発揮散装置による薬液の揮散は、単位時間当たりの揮散量が少なく、広範囲への揮散を効率的に行うことができず改善の余地があった。また、スプレー装置は、高圧のエアゾールガスを用いる必要があり扱い方が制限される。超音波発振器や超音波ポンプを用いた装置では、薬液を最後まで使い切ることができず、いくらか残ってしまうため経済的な問題があった。また、超音波発振器や超音波ポンプを配備するため、装置が大型となり、製造コストが大きくなってしまうという問題があった。
【０００５】
本発明は、前述した課題に鑑みてなされたものであり、その目的は、小型且つ安価な装置により薬液を効率的に霧化して揮散させることができるポンプ式害虫防除装置を提供することにある。
【課題を解決するための手段】
【０００６】
本発明の上記目的は、下記の構成により達成される。
（１）  液体容器に接続される圧送ポンプの作用により、液体容器の上部に設けられるノズルから液体容器内に収容される薬液を噴霧するポンプ式害虫防除装置であって、ノズル内に先端が開口し、薬液を吸引する針状部材を有し、針状部材の開口は、ノズルの開口孔の上端開口と下端開口との間に位置することを特徴とするポンプ式害虫防除装置。
（２）  圧送ポンプの圧力は、４Ｌ／分×１〜４Ｌ／分×２＋１．８Ｌ／分×１であることを特徴とする（１）に記載のポンプ式害虫防除装置。
（３）  針状部材の開口は、ノズルの開口孔の上端開口と面一であることを特徴とする（２）に記載のポンプ式害虫防除装置。
（４）  ノズルの開口孔の内径と針状部材の外径との差が０．２ｍｍより小さく、針状部材の開口は、ノズルの開口孔の下端開口と面一であることを特徴とする（２）に記載のポンプ式害虫防除装置。
（５）  ノズルは、開口孔より下方の内周面にテーパー面を有し、テーパー面の角度が約４５度であることを特徴とする（１）〜（４）のいずれかに記載のポンプ式害虫防除装置。
【０００７】
本発明のポンプ式害虫防除装置によれば、液体容器に接続される圧送ポンプの作用により、液体容器の上部に設けられるノズルから液体容器内に収容される薬液を噴霧するポンプ式害虫防除装置であって、ノズル内に先端が開口し、薬液を吸引する針状部材を有し、針状部材の開口は、ノズルの開口孔の上端開口と下端開口との間に位置するため、小型且つ安価な装置により薬液を効率的に霧化して揮散させることができる。
【発明を実施するための最良の形態】
【０００８】
以下、本発明に係るポンプ式害虫防除装置の一実施形態について、図面を参照して詳細に説明する。
図１は本発明に係るポンプ式害虫防除装置の一実施形態を説明するための一部切欠正面図、図２は針状部材の開口がノズルの開口孔の上端開口と同一高さにある状態の図１のＡ部拡大図、図３は針状部材の開口がノズルの開口孔の上端開口と下端開口との中間位置にある状態の図１のＡ部拡大図、図４は針状部材の開口がノズルの開口孔の下端開口と同一高さにある状態の図１のＡ部拡大図である。
【０００９】
図１に示すように、本実施形態のポンプ式害虫防除装置１０は、薬液Ｍを収容する液体容器１１と、薬液Ｍを噴霧する噴霧ユニット２０と、噴霧ユニット２０に圧縮空気を供給する圧送ポンプであるエアポンプ（圧送ポンプ）１２と、を備える。
【００１０】
液体容器１１は、害虫防除成分を含む薬液Ｍに対して耐性を有する材料、例えば、合成樹脂等を射出成型して形成される容器であり、薬液Ｍを収容する容器本体１３と、蓋体１４と、を備える。蓋体１４の上面には、後述するニードルホルダ２１を取り付けるための取付孔１４ａと、液体容器１１内の圧力を常圧(外気圧)に維持する空気穴１４ｂと、が形成される。空気穴１４ｂは、液体容器１１内で発生した圧力を外部に逃がす安全機構としても機能する。蓋体１４は、ねじによって容器本体１３に着脱自在となっている。
【００１１】
薬液Ｍの有効成分としては、例えば、殺虫・殺ダニ作用又は忌避作用、殺シロアリ、吸血阻害、昆虫生長調節、キチン合成阻害、防虫、産卵抑制、侵入防止、追い出し作用等があるものを挙げることができる。このような有効成分を含む薬剤としては、例えば、１−メチル−２−ニトロ−３−［（３−テトラヒドロフリル）メチル］グアニジン、Ｎ−［クロロ−３−［ピリジルメチル］−Ｎ−エチル−Ｎ−メチル−２−ニトロビニリデンジアミン、３−［（２−クロロ−５−チアゾリル）メチル］−５−メチル−ニトロイミノテトラヒドロ−１，３，５−オキサジアジン等を挙げることができる。また、原体が固体、結晶、液状、液体を問わず、実施可能な限りピレスロイド系化合物の除虫菊エキス、ピレトリン、ｄ−アレスリン、フタルスリン、フラメトリン、プラレトリン、テラレスリン、レスメトリン、ペルメトリン、フェノトリン、サイペルメトリン、サイフェノトリン、トランスフルスリン、フェンフルスリン、メトフルトリン、エンペントリン、及びこれらの異性体、類縁体、誘導体、有機リン系化合物のピリミホスメチル、フェニトロチオン、ピリダフェンチオン、カーバメート系化合物のプロポクスル、カルバリル、オキサジアゾール系化合物のメトキサジアゾン、フィプロニール等の殺虫・殺ダニ剤や、メトプレン、Ｓ−ハイドロプレン、ピリプロキシフェン、２−［１−メチル−２−（フェノキシフェノキシ）エトキシ］ピリジン等の昆虫幼若ホルモン、ジフルベンズロン、テフルベンズロンなどのキチン形成阻害剤、アミド系化合物のデイート等の害虫忌避剤を挙げることができる。なお、上記化合物の原体自体若しくはこれに添加物を添加しただけの添加原体を用いてもよい。
【００１２】
薬液Ｍとしては、例えば、殺虫剤を各種溶媒（水、有機溶剤、界面活性剤）に溶解させた溶液や、水に溶解、乳化ないし分散させた水溶液、乳液、分散液を用いることができる。また、薬液Ｍに、例えば、芳香剤、潤滑剤、殺菌剤、色素、保湿剤、安定剤、揮散調整剤、防腐剤、酸化防止剤等の添加剤を含有させることができる。
【００１３】
薬液Ｍとは、有効成分を溶媒に溶かし薬液としたものはもとより、有効成分自体が液体若しくは、この有効成分に添加剤を加えただけの混合液からなるものを含むものである。また、有効成分自体が液体でなくても、有効成分を溶かしうる添加剤とからなる混合液からなるものをも含むものである。ここで添加剤とは、安定剤、酸化防止剤、紫外線防止剤、効力増強剤、揮散調整剤、沸点調整剤、増量剤などとして使用できるものをいう。もちろん、有効成分自体が液体でなくても実施可能な限り、これを溶かしうる添加剤を用いなくてもよい。
【００１４】
エアポンプ１２は、不図示の電源部から供給される電力により回転するモータ部１５と、モータ部１５により回転駆動され、吸引口１６ａから空気を吸い込み、それを圧縮して吐出口１６ｂから圧縮空気を吐出する圧縮空気発生部１６と、から構成される。そして、本実施形態では、２台のエアポンプ１２が直列に接続されており、後段のエアポンプ１２の吐出口１６ｂは、接続チューブ１７により噴霧ユニット２０のノズルホルダ２２に接続される。また、エアポンプ１２の圧力（風量）としては、４Ｌ／分×１〜４Ｌ／分×２＋１．８Ｌ／分×１が好ましく、約４Ｌ／分×２が特に好ましい。なお、不図示の電源部としては、商用電源や電池などの任意の電源を使用することができる。
【００１５】
噴霧ユニット２０は、ニードルホルダ２１と、ノズルホルダ２２と、ノズル２３と、を有する。ニードルホルダ２１は、液体容器１１に収容される薬液Ｍを吸上げるための略円筒形状部材であり、その軸心部には、大径孔２１ａ及び小径孔２１ｂが軸方向に沿って形成される。また、小径孔２１ｂには、針状部材であるニードル管（針状部材）２５が圧入や接着等により気密に固定される。
【００１６】
また、ニードルホルダ２１の大径孔２１ａ側の端部には、ゴム製の吸液チューブ２６が気密に外嵌されている。この吸液チューブ２６は、ニードルホルダ２１が蓋体１４に固定された状態において、その先端が容器本体１３の底面に位置する長さに調節される。
【００１７】
ニードル管２５は、ステンレス鋼などで形成されたパイプ状部材であり、例えば、その外径はφ０．６ｍｍ〜φ０．７ｍｍが好ましい。内径はφ０．２ｍｍ〜φ０．４ｍｍが好ましく、約φ０．３ｍｍが特に好ましい。
【００１８】
ノズルホルダ２２は、略円筒形状部材であり、その上端面の軸心部には、ノズル２３を取り付けるためのノズル用凸部２２ａが形成される。また、ノズルホルダ２２の側面には、噴霧ユニット２０とエアポンプ１２とを接続させる接続チューブ１７を接続するための接続パイプ２２ｂが形成される。また、ノズルホルダ２２の軸心部には、ニードルホルダ２１を螺着するためのノズルホルダ取付孔２２ｃと、エアポンプ１２から空気が供給される空気供給室２２ｄと、空気供給室２２ｄからノズル２３内に空気を供給する空気供給孔２２ｅと、が形成される。
【００１９】
ノズル２３は、真鍮等の金属により形成される円筒蓋状体であり、図２に示すように、ノズルホルダ２２のノズル用凸部２２ａに螺合される。また、ノズル２３の天面の軸心部には、ニードル管２５を挿通するためのノズル孔（開口孔）２４が形成される。また、ノズル孔２４は、上端開口２４ａ及び下端開口２４ｂを有し、この下端開口２４ｂの下方にはテーパー面２３ａが形成される。また、ノズル孔２４の内径Ｄは、ニードル管２５の外径よりφ０．１ｍｍ〜φ０．３ｍｍ大きい方が好ましく、約φ０．２ｍｍ大きい方が特に好ましい。具体的には、ニードル管２５の外径がφ０．６ｍｍの場合、ノズル孔２４の内径Ｄは、φ０．７ｍｍ〜φ０．９ｍｍが好ましく、約φ０．８ｍｍが特に好ましい。また、ノズル孔２４の長さＬは、０．５ｍｍ〜１．５ｍｍが好ましい。さらに、テーパー面２３ａの角度θは、３０度〜６０度が好ましく、約４５度が特に好ましい。
【００２０】
そして、噴霧ユニット２０は、まず、ニードルホルダ２１の小径孔２１ｂにニードル管２５を固定させ、このニードルホルダ２１をノズルホルダ２２のノズルホルダ取付孔２２ｃに螺着させる。次いで、ノズルホルダ２２に螺着したニードルホルダ２１を蓋体１４の取付孔１４ａに挿通させ、ノズルホルダ２２との間に蓋体１４を挟持するように、ニードルホルダ２１にストッパ１８を螺着させる。これにより、ノズルホルダ２２、ニードルホルダ２１、ニードル管２５、蓋体１４、及びストッパ１８が一体的に組み立てられる。そして、ノズルホルダ２２のノズル用凸部２２ａにノズル２３を螺合させる。
【００２１】
このように構成された噴霧ユニット２０では、ノズル２３を回転させることにより、ノズル２３がノズル用凸部２２ａに対して上下方向に移動するため、ニードル管２５の先端部の開口２５ａは、図３に示すように、ノズル孔２４の上端開口２４ａと下端開口２４ｂとの間に位置するように調節可能である。そして、ニードル管２５の開口２５ａは、好ましくは、ノズル孔２４の上端開口２４ａと面一に配置される（図２参照）。また、ノズル２３のノズル孔２４ａの内径とニードル管２５の外径との差が０．２ｍｍより小さい場合、ニードル管２５の開口２５ａは、ノズル孔２４の下端開口２４ｂと面一に配置される（図４参照）。
【００２２】
次に、本実施形態のポンプ式害虫防除装置１０の作用について説明する。
ポンプ式害虫防除装置１０は、図１に示すように、薬液Ｍが収容された容器本体１１に噴霧ユニット２０と一体化された蓋体１４を螺着させ、噴霧ユニット２０とエアポンプ１２とを接続チューブ１７で接続させて、モータ部１５に電力を供給してエアポンプ１２を駆動させることによって、圧縮空気発生部１６の吐出口１６ｂから圧縮空気を吐出させる。
【００２３】
そして、エアポンプ１２から吐出された圧縮空気は、接続チューブ１７及び接続パイプ２２ｂを介してノズルホルダ２２の空気供給室２２ｄに供給され、  ノズルホルダ２２の空気供給孔２２ｅの内周面とニードル管２５の外周面との間に形成される空気供給路を通って上方に圧送されて、ノズル２３のノズル孔２４とニードル管２５の外周面との僅かな隙間から勢いよく上方に噴出される。
【００２４】
このとき、ノズル孔２４の上端開口２４ａとニードル管２５の開口２５ａとの間に負圧が発生するため、液体容器１１内の薬液Ｍが、吸液チューブ２６、ニードルホルダ２１の大径孔２１ａ、及びニードル管２５を介して吸い上げられ、ニードル管２５の開口２５ａから吐出されて、上記の勢いよく噴出される圧縮空気によって霧化して噴霧される。
【００２５】
ここで、ノズル２３から噴霧される薬液Ｍの噴霧粒径は、１０μｍ〜６０μｍが好ましく、約２０μｍが特に好ましい。また、ポンプ式害虫防除装置１０の薬液Ｍの噴霧量は、約３０ｍｌ／４０ｍｉｎ〜約３０ｍｌ／３０ｍｉｎ（約０．７５ｍｌ／ｍｉｎ〜約１．０ｍｌ／ｍｉｎ）が望ましい。なお、薬液Ｍをより効率的に拡散するため、シロッコファンやプロペラファン等の送風装置を補助的に噴霧ユニット２０の近傍に配置してもよい。
【００２６】
上記説明したように、本実施形態のポンプ式害虫防除装置１０によれば、液体容器１１に接続される圧送ポンプ１２の作用により、液体容器１１の上部に設けられるノズル２３から液体容器１１内に収容される薬液Ｍを噴霧するポンプ式害虫防除装置１０であって、ノズル２３内に先端が開口し、薬液Ｍを吸引する針状部材２５を有し、針状部材２５の開口２５ａは、ノズル２３の開口孔２４の上端開口２４ａと下端開口２４ｂとの間に位置するため、小型且つ安価な装置により薬液Ｍを効率的に霧化して揮散させることができる。
【００２７】
また、本実施形態のポンプ式害虫防除装置１０によれば、ノズル２３から針状部材２５が突出することがないため、使用者が不用意に針状部材２５により怪我を負うことがなく安全である。
【００２８】
さらに、本実施形態のポンプ式害虫防除装置１０によれば、スプレー装置等のようにエアゾールガスを使用せず、火気も必要としないため、環境に優しく、経済的であるばかりでなく、装置１０の取り扱いが容易、且つ安全である。
【実施例】
【００２９】
以下に、本発明のポンプ式害虫防除装置（実施例）の作用効果を確認するために行った噴霧試験について説明する。
【００３０】
本試験では、図１に示すポンプ式害虫防除装置１０を使用し、ノズル孔２４の形状、ニードル管２５の内外径、ノズル孔２４に対するニードル管２５の開口２５ａの位置、及びエアポンプ１２の圧力を変化させて噴霧試験を行い、それらの関係を調べた。結果を表１及び表２に示す。
【００３１】
なお、ニードル管の開口位置とは、ニードル管２５の開口２５ａとノズル孔２４との相対位置のことであり、表中の「上」とは、図２に示すように、ニードル管２５の開口２５ａがノズル孔２４の上端開口２４ａと面一になることであり、「中」とは、図３に示すように、ニードル管２５の開口２５ａがノズル孔２４の上端開口２４ａと下端開口２４ｂの中間に位置することであり、「下」とは、図４に示すように、ニードル管２５の開口２５ａがノズル孔２４の下端開口２４ｂと面一になることである。
【００３２】
【表１】
2008017728.tif 000003
【００３３】
【表２】
2008017728.tif 000004
【００３４】
表１から明らかなように、エアポンプの圧力は、噴霧可能であることから４Ｌ／分×１〜４Ｌ／分×２＋１．８Ｌ／分×１の範囲が好ましく、噴霧粒径が２０μｍ前後で安定していることから４Ｌ／分×２が特に好ましい。
【００３５】
また、表１から明らかなように、ニードル管の外径は、噴霧可能であることからφ０．６ｍｍ〜φ０．７ｍｍが好ましい。また、ニードル管の内径は、噴霧可能であることからφ０．２ｍｍ〜φ０．４ｍｍが好ましく、ニードル管の開口位置が上下しても噴霧可能、且つ噴霧粒径が２０μｍ前後で安定していることから約φ０．３ｍｍが特に好ましい。
【００３６】
また、表１及び表２から明らかなように、ノズル孔の内径Ｄは、噴霧可能であることからニードル管の外径よりφ０．１ｍｍ〜φ０．３ｍｍ大きい方が好ましく、ニードル管の開口位置が上下しても噴霧可能であることからニードル管の外径より約φ０．２ｍｍ大きい方が特に好ましい。従って、ニードル管の外径の外径がφ０．６ｍｍの場合、ノズル孔の内径Ｄは、φ０．７ｍｍ〜φ０．９ｍｍが好ましく、約φ０．８ｍｍが特に好ましい。
【００３７】
また、表１から明らかなように、ニードル管の開口位置は、ニードル管の開口位置が上下しても噴霧可能、且つ噴霧粒径が２０．５３μｍと最小値であることから、ノズル孔の上端開口と面一であることが好ましい。
【００３８】
また、表１及び表２から明らかなように、ノズル孔の内径Ｄとニードル管の外径との差が０．２ｍｍより小さい場合、ニードル管の開口位置は、噴霧可能であることから、ノズル孔の下端開口と面一であることが好ましい。
【００３９】
また、表２から明らかなように、ノズル孔２４の長さＬは、噴霧可能であれば特に限定されるものではなく、０．５ｍｍ〜１．５ｍｍが好ましい。
【００４０】
また、表２から明らかなように、ノズルのテーパー面の角度は、噴霧可能であることから３０度〜６０度が好ましく、噴霧粒径がより小さいことから約４５度が特に好ましい。
【図面の簡単な説明】
【００４１】
【図１】本発明に係るポンプ式害虫防除装置の一実施形態を説明するための一部切欠正面図である。
【図２】針状部材の開口がノズルの開口孔の上端開口と同一高さにある状態の図１のＡ部拡大図である。
【図３】針状部材の開口がノズルの開口孔の上端開口と下端開口との中間位置にある状態の図１のＡ部拡大図である。
【図４】針状部材の開口がノズルの開口孔の下端開口と同一高さにある状態の図１のＡ部拡大図である。
【符号の説明】
【００４２】
１０      ポンプ式害虫防除装置
１１      液体容器
１２      エアポンプ（圧送ポンプ）
１３      容器本体
１４      蓋体
１５      モータ部
１６      圧縮空気発生部
１７      接続チューブ
１８      ストッパ
２０      噴霧ユニット
２１      ニードルホルダ
２２      ノズルホルダ
２３      ノズル
２３ａ    テーパ面
２４      ノズル孔（開口孔）
２４ａ    上端開口
２４ｂ    下端開口
２５      ニードル管（針状部材）
２５ａ    開口
２６      吸液チューブ
Ｍ      薬液
【図１】
2008017728.tif 000005
【図２】
2008017728.tif 000006
【図３】
2008017728.tif 000007
【図４】
2008017728.tif 000008